(57)【特許請求の範囲】
【請求項１】
下記の特徴(ａ)〜(ｆ)を有する紙巻煙草等のためのヒンジ蓋付きボックス。
(ａ)ボックス部(１２)と、ボックス部に回動自在に連結された蓋(１３)を備える、
(ｂ)ボックス部(１２)内に固定されたカラー(３８)を備え、カラー(３８)の一部の区域は、ボックス部(１２)から突出する、
(ｃ)横断方向の境界部(４７)を備える蓋の内側タブ(３６)は、蓋の前部壁(２０)に密接し、蓋の前部壁(２０)の内側に固定されている、
(ｄ)蓋の内側タブ(３６)とカラーの前部壁(３９)は、細い材料ウエブ(４３，４４，４５)によって互いに連結されており、蓋が最初に開かれるときに切断される、
(ｅ)カラーの前部壁(３９)は、横断方向のカラー縁部(４６)を備える陥没部(４８)を有する、
(ｆ)材料ウエブ(４３，４４，４５)は、全部が陥没部(４８)の区域、すなわち、横断方向のカラー縁部(４６)および横断方向の境界部(４７)に配列されている、
【請求項２】
互いから等距離に配置された３つの材料ウエブ(４３，４４，４５)が配設される点を特徴とする請求項１記載のヒンジ蓋付きボックス。
【請求項３】
蓋の内側タブ(３６)の形状と大きさが、カラー前部壁(３９)の陥没部(４８)の形状と大きさに正確に一致する点にに特徴を有する請求項１または２記載のヒンジ蓋付きボックス。
【請求項４】
下記の特徴(ａ)〜(ｄ)を有する紙巻煙草等のためのヒンジ蓋付きボックスを製造するためのブランク。
(ａ)ボックス部(１２)と蓋(１３)を形成するメインブランク(３３)は、材料ウエブ(４３，４４，４５)によってカラー(４８)に連結されている、
(ｂ)メインブランク(３３)は、横断方向の境界部(４７)を備える蓋の内側タブ(３６)を有する、
(ｃ)カラー(３８)は、横断方向のカラー縁部(４６)を備える陥没部(４８)を伴うカラーの前部壁(３９)を有する、
(ｄ)カラー(３８)は、材料ウエブ(４３，４４，４５)によってのみメインブランクに連結されており、前記材料ウエブは、横断方向のカラー縁部(４６)の区域と、横断方向の蓋の内側タブ(３６)の境界部(４７)の区域に配設される、
【請求項５】
蓋の両側壁(２２)を形成するために蓋の前部壁(２０)に取り付けられる蓋の両側タブ(２４，２５)は、自由な両傾斜縁部(３１)を備えるように設計される点、カラーの側タブ(４０，４１)は、一部の区域すなわち前記カラーの側タブと一致するように設計された傾斜縁部(４９)を備える蓋の両側タブ(２４，２５)の傾斜縁部(３１)と向き合って接しており、ヒンジ蓋付きボックスが完成状態になるときは、横断方向縁部(５０)が、カラーの両側タブ(４０，４１)の上部境界として、カラーの側タブ(４０，４１)の傾斜縁部(４９)と連続する点を特徴とする請求項４記載のブランク。
【請求項６】
蓋の前部壁(２０)と上部壁(２３)とによって形成される折り曲げ縁部(５４)とカラーの側タブ(４０，４１)の横断方向縁部(５０)の間の距離は、蓋の内側タブ(３６)の幅(５５)の大きさの少なくとも２倍である点を特徴とする請求項４または５記載のブランク。
【発明の詳細な説明】
【０００１】
【産業上の利用分野】
この発明は、ボックス部と、前記ボックス部に回動自在に連結された蓋と、前記ボックス部に固着され、副区域によって前記ボックス部から突出するカラーとからなる紙巻き煙草などのヒンジ蓋付きボックスに関する。この発明はさらに、ヒンジ蓋付きボックスを製造するためのブランクに関する。
【０００２】
【従来の技術】
紙巻き煙草を包装するためにヒンジ蓋付きボックスを使用することは、あまねく普及している。ヒンジ蓋付きボックスの標準的な設計は、ボックス部と蓋とで構成される。蓋は、蓋の後部壁の区域において、ボックスの後部壁に回動自在に連結される。ボックス部には、カラー前部壁およびカラーの両側タブとで構成されるカラーが配設される。ボックス部に固着されるカラーは、蓋が閉じた位置では前記蓋によって囲まれる副区域によってボックス部から突出する。
【０００３】
ヒンジ蓋付きボックスは、従来、薄いカードボード製の一枚のブランクで構成される。前記カラーは、通常は、やはり薄いカードボード製ではあるが、ボックス部とは別体のブランクである。
【０００４】
このタイプのヒンジ蓋付きボックスを低コストかつ省材料的に製造するためには、カラーをヒンジ蓋付きボックスのブランクと一体に連結することが有利である。この目的で、すでに数多くの提案ががなされている。
【０００５】
【発明が解決しようとする課題】
この発明は、低コストかつ省材料的態様で製造され、さらに、使用に供される前の段階で、蓋が好ましくない開き方をしないように保護されるヒンジ蓋付きボックスを提案することを目的とする。
【０００６】
【課題を解決するための手段】
この目的を達成するため、この発明のヒンジ蓋付きボックスは、蓋が、（薄い）材料ウエブまたは残存連結部によってカラーと連結しており、蓋が初めて開かれるときに、これらが蓋から切断される点に特徴を有する。
【０００７】
前記材料ウエブまたは残存連結部は、好ましくは、ブランクと同じ包装材料すなわち薄いカードボードで構成され、ヒンジ蓋付きボックスとカラーの間に形成されるこの連結部が結果として、全域が一枚のブランクを提供する。
【０００８】
【作用】
ヒンジ蓋付きボックスまたはヒンジ蓋付きボックス用の一枚のブランクの形成材料を節約するために、カラーは、蓋の前部壁の内側に固定された蓋の内側タブの区域において、材料ウエブを介してヒンジ蓋付きボックス用のブランクに連結される。ヒンジ蓋付きボックスに従来から備わる蓋の内側タブは、ブランクがまだ折り曲げられておらず、まだフラットな状態にあるとき、カラー前部壁の区域に形成される陥没部または除去空白部が、この陥没部または除去部と一致する形状を付与される蓋の内側タブによって、前記陥没部または除去空白部と積極的に詰め合わされる態様で、好都合に埋められるように形成される。
【０００９】
この発明の別の特徴は、一方では蓋の区域における、他方ではカラーの区域におけるヒンジ蓋付きボックスまたはブランクの形状に関する。添付図面を参照しつつ、この発明の１模範実施例を解説する。
【００１０】
【実施例】
図示の模範実施例は、紙巻き煙草10のためのヒンジ蓋付きボックスに関する。紙巻き煙草のグループ11は、紙または錫箔製の内部ブランクに包まれて、紙巻き煙草ノブロックとしてパックの内容物を形成する。
【００１１】
図示のヒンジ蓋付きボックスは、このタイプのヒンジ蓋付きパックがそうであるように、ボックス部12と蓋13からなる。ボックス部12は、ボックス前部壁14、ボックス後部壁15、幅の狭いボックスの両側壁16および底部壁17からなっている。ボックスの両側壁16は、接着によって互いに接続される互いに重なるボックスの両側タブ18,19 で構成される。これと同様に、蓋13は、蓋の前部壁20、蓋の後部壁21、蓋の両側壁22および蓋の上部壁23とで構成される。蓋の両側壁22は、互いに接着されて重なる蓋の両側タブ24,25 で構成される。ボックス部12と蓋13は、ボックスの後部壁15と蓋の後部壁21の区域において、関節線26の周りに回動可能に連結される。
【００１２】
ボックスが閉じた位置では、ボックス部12および蓋13が、ボックス部および蓋の両前部壁の区域において、横断方向を向く接触縁部27に沿って、互いに向き合って隣接し、また、ボックス部および蓋の両側壁の区域において、斜め上方を向く接触縁部28に沿って、互いに向き合って隣接する。接触縁部28は、ボックス部の両側タブ18,19 の傾斜縁部29,30 および蓋の両側タブ24,25 の対応する傾斜縁部31,32 に由来する。
【００１３】
上記の各部が、ヒンジ蓋付きボックス用のメインブランク33を形成する。このメインブランクは、底部の角タブ34および蓋の角タブ35を含んでいる。さらにまた、蓋の内側タブ36が通常このタイプのメインブランク33に付属する。前記の蓋の内側タブ36は、蓋の前部壁20の自由な側すなわち自由な閉鎖縁部37と接する。ヒンジ蓋付きボックスが組み立てられた状態では、蓋の内側タブ36は、蓋の前部壁20の内側と向かい合って折り曲げられ、特に接着剤によって、前記蓋の前部壁20の内側と接続される。
【００１４】
ヒンジ蓋付きボックスの別の構成要素は、カラー38である。カラー38は、カラー前部壁39とカラー両側タブ40,41 とからなる。ヒンジ蓋付きボックスが、完成した状態では、カラー38は、ボックス部12の下方区域に着座しており、ここで、接着によって、ボックス前部壁14の内側および／またはボックスの両側壁16に固定されている。蓋が閉じた位置にあるとき、ボックス部12から突出するカラー38の区域は、蓋13によって囲まれる。カラー前部壁39とカラー両側タブ40,41 は、折り曲げ両縁部または折り曲げ線42によって互いに隔てられる。
【００１５】
カラー38は、ヒンジ蓋付きボックスのメインブランクと一体のユニットを形成する。この目的で、カラー前部壁39は、材料ウエブ43,44,45によってメインブランク33と連結している。この材料ウエブ43…45は、約１mmの幅を有する包装材の薄い残存連結部である。これらの材料ウエブ43…45は、メインブランク33とカラー38の間の区域にしかるべき打ち抜きを施すことによって、すなわち、材料ウエブ43…45の間に部分的な打ち抜きを施すことによって形成される。
【００１６】
現模範実施例においては、材料ウエブ43…45は、カラー前部壁39と蓋の内側タブ36の境界区域に形成される。かくして、ここに、カラー前部壁39を横断する方向に向く上方のカラー縁部46と、このカラー縁部46と平行に延在する蓋の内側タブ36を横断する方向に向く自由な境界部47との間に、連結部が生じる。
【００１７】
この発明のさらに別の特徴は、メインブランク33が、材料を節約して詰め込む態様でカラー38と隣接する点に存在する。カラー前部壁39は、ヒンジ蓋付きボックスに通常備わる陥没部48を備えている。この陥没部48と同形を付与される蓋の内側タブ36が、前記陥没部48内に嵌まり込んでいる。したがって、前記蓋の内側タブ36の幅は、蓋の前部壁20の幅よりも僅かに小さい。境界部47は、その両側が弧状態様になるように設計される。蓋の内側タブ36の大きさと形状は前記陥没部48と対応する。
【００１８】
カラーの両側タブ40,41 および蓋の両側タブ24の区域におけるブランク全体の設計もまた重要である。カラーの両側タブ40,41 は、その副区域に傾斜縁部49を備えており、前記縁部49は蓋の両側タブの傾斜縁部31へと移り変わる。前記縁部49は、また、全体のブランクから三角形の切抜き部51を打ち抜くことによって形成される横断方向の縁部50とも連続する。カラーの両側タブ40,41 に関し、ある角度で切り欠かれる両縁部50,31 とは反対の側で、カラーの両側タブ40,41 は、斜めを向き傾斜縁部49と平行する側縁部52によって区画される。
【００１９】
カラー38と蓋の内側タブ36の大きさと形状を決定するには、特定の幾何学的な相互関係を考慮すべきである。蓋の上部壁23に関する蓋の前部壁20の折り曲げ縁部54とカラーの両側タブ40,41 の横断方向縁部50の間の距離53は、蓋の内側タブ36の幅55の２倍よりも小さくてはいけない。したがって、つぎの関係式が成り立つ。
【００２０】
(53)の幅≧２×(55)の幅
カラー38の上部境界として横断方向縁部50が、ボックスが閉じた位置および蓋の開閉操作中に、蓋13内に引っ掛かることなく収容されるので、この大きさが維持されなければならない。
【００２１】
カラー38がこのような大きさを有するので、材料ウエブ内または材料シート内にブランクを材料を節約する態様で配置することができる。ブランクのボックス部の両側タブ19の両傾斜縁部29は、ほぼ一致する態様で、隣接配置されるブランクのカラー38の側縁部52と隣り合う。したがって、切抜き部51に起因する材料の損失は極めて少ない。
【００２２】
さらにまた、組み立てられたヒンジ蓋付きボックスのためのブランクの形状も重要である。カラーの両側タブ40,41 の上部縁部は、ある角度をなして切り欠かれる。このことによって、蓋13を容易に開閉することが可能になる。水平に延在する横断方向縁部50は、蓋の上部壁23および／または折り曲げられて一体化された蓋の両角タブ35と向かい合って接触する信頼性の高い上部境界部を決定する。
【００２３】
図４に示すブランクは、製造上の観点に立つ場合、その処理が有利である。材料ウエブ43,44,45を介してメインブランク33と連結するカラー38を、図２に見られるように、パックの適切な位置に設けるためには、２つの横断方向を向く平行する折り曲げ線に沿って折り曲げることが必要である。まず最初に、蓋の内側タブ36を閉鎖縁部37またはこれによって規定される折り曲げ線に沿って折り曲げなければならない。カラー38は、この段階ではまだ蓋13と繋がっている。カラー38は、次いでカラーの縁部46と蓋の内側タブ36の境界部47の区域において反対方向に折り返される。これによって、結果として全体的にＺ字状の折り曲げ構造（図２参照）が発生する。このように、材料ウエブ43,44,45が、すべて、この折り曲げ線内に位置しており、横断方向に延在することが重要である。材料ウエブ43,44,45の数はいかようにも設定することが可能である。
【００２４】
【発明の効果】
材料ウエブ43,44,45によって信頼性高く閉じた状態に維持されるヒンジ蓋付きボックスを最初に開く操作は、蓋13を回動後退させて、材料ウエブ43,44,45を切断することによって簡単有効に行うことができる。
【００２５】
この発明の紙巻き煙草などのヒンジ蓋付きボックスによれば、これが使用に供される前の段階で、蓋が好ましくない開き方をすることはない。
【図面の簡単な説明】
【図１】閉じた状態にあるヒンジ蓋付きボックスの斜視図。
【図２】図１のII-II 線に沿うヒンジ蓋付きボックスの垂直方向断面図。
【図３】開いた状態にある図１のヒンジ蓋付きボックス。
【図４】図１ー図３のヒンジ蓋付きボックス用の展開ブランク。
【符号の説明】
１０…紙巻き煙草，１２…ボックス部，１３…蓋，２０…蓋の前部壁，３３…メインブランク，３６…蓋の内側タブ，３８…カラー，３９…カラーの前部壁，４３，４４，４５…材料ウエブ，４６…カラー縁部，４８…陥没部。
【図１】
0003661880.tif 000002
【図２】
0003661880.tif 000003
【図３】
0003661880.tif 000004
【図４】
0003661880.tif 000005